(57)【特許請求の範囲】
【請求項１】
複数枚の金属板小片（１１）が連結されて成る身体着用用の耐刃防護板において、
それぞれ複数の連結用リベット孔（１６）を有する複数枚の金属板小片（１１）が、身体の左右方向に関しては、中央から両側部方向に向かって側辺が順次重ね合わされて配置されるとともに、身体の上下方向に関しては、上から下に向かって上下辺が順次重ね合わされて配置されて所定の形状に形成され、前記重なり合う側辺は、前記中央に配置される金属板小片の両側辺が身体から遠い位置に配置され、当該中央に配置される金属板小片以外の両側部方向に向かって順次重ね合わされる金属板小片は、中央側に位置する側辺が身体に近い位置に、側部側に位置する側辺が身体から遠い位置にそれぞれ配置され、前記重なり合う上下辺は、上下方向に隣り合う金属板小片のうち、上に位置する金属板小片の下辺が身体から遠い位置に、下に位置する金属板小片の上辺が身体に近い位置にそれぞれ配置され、重ね合わされた辺同士がリベット（１２）によりリベット孔（１６）を挿通して緩くカシメられ、各金属板小片（１１）同士の連結部が可動性を保持するように連結されて成ることを特徴とする耐刃防護板。
【請求項２】
前記金属板小片（１１）は重ね合わせ部に段差部（１７）が設けられていることを特徴とする請求項１記載の耐刃防護板。
【請求項３】
前記金属板小片（１１）は全面が凸状または凹状の曲面に形成されていることを特徴とする請求項１記載の耐刃防護板。
【請求項４】
前記金属板小片（１１）には刃物に対する滑り止め用のリブ（１３）が形成されていることを特徴とする請求項１記載の耐刃防護板。
【請求項５】
前記金属板小片（１１）のうち、前記所定の形状の外周に位置する金属板小片（１１）には、所定形状の外周に接する辺に刃物に対する滑り止め用の折り曲げ部（１５）が形成されていることを特徴とする請求項１記載の耐刃防護板。
【請求項６】
前記金属板小片（１１）には通気用の小孔（１４）が穿設されていることを特徴とする請求項１記載の耐刃防護板。
【請求項７】
前記金属板小片（１１）は熱処理が施されたジュラルミンで形成されていることを特徴とする請求項１記載の耐刃防護板。
【発明の詳細な説明】
【０００１】
【発明の属する技術分野】
本発明は耐刃防護板に関する。詳しくは、身体の危険にさらされる業務に就労する警察官、ガードマン等が着衣の下に着用し、刃物、アイスピック等による攻撃に対して防護を行うことができる耐刃防護板に関する。
【０００２】
【従来の技術】
従来、警察官等が刃物による攻撃の危険から身体を防護するため、平常衣の下に装着することができる耐刃防護板が開発されている。
例えば、特開昭５８−１９７００号公報で開示された防弾刃下着の提案がある。この発明は防刃板状対として防刃子相互を１層に展開し、相互の防刃子を２種類の形状の連結子によって連結する構成になっており、防刃子が一部では連結子と２層構造であるが、防刃機能は防刃子の１層構造としてしか働かないものである。この防弾刃下着においては、防弾機能はかなり満足するものであるが、刃物に対する防刃機能の面で十分な機能を達成しょうとすると極端に着用性が低下するか、あるいは着用性を下げないために人体へのフィット性に留意した物は分割小片で構成する必要があるので各小片の隙間が細刃に対して無力であった。
【０００３】
そこで、防刃機能と着用性の両方を満足するものとして特公平６−５０２４０号に開示された耐刃防護板が開発されている。この耐刃防護板１は、図９（ｂ）の一部拡大図及び同図（ｃ）の断面図に示されるように、樹脂板（例えば厚さ２ｍｍ程度のポリカーボネート）で形成され、複数の連結孔２及び複数の通気孔（図示省略）が形成された六角形状の複数の防刃用小片３を、それぞれ周辺を突き合わせて隙間のない状態に敷きつめて表層４とし、同様な形状の樹脂板（例えば厚さ１．５ｍｍ程度のガラスフアイバ入り６６ナイロン）の小片５（（ｂ）図では点線で示す）群から成る裏側層６とを、表層及び裏側層のそれぞれの突き合わせ部が重ならないように重ね、リベット７により表層４及び裏側層６を接続し図９（ａ）の如く所定の形状に組み立てたものである。
【０００４】
【発明が解決しようとする課題】
上記の耐刃防護板は防刃機能と着用性の両方を満足するものであるが、樹脂板に耐防刃性に必要な厚さを持たせるため重量が重くなるという問題がある。
【０００５】
本発明は上記従来の問題点に鑑み、防刃機能と着用性の両方を満足し、且つ重量の軽い耐刃防護板を実現することを目的とする。
【０００６】
【課題を解決するための手段】
本発明の請求項１は、複数枚の金属板小片１１が連結されて成る身体着用用の耐刃防護板において、それぞれ複数の連結用リベット孔１６を有する複数枚の金属板小片１１が、身体の左右方向に関しては、中央から両側部方向に向かって側辺が順次重ね合わされて配置されるとともに、身体の上下方向に関しては、上から下に向かって上下辺が順次重ね合わされて配置されて所定の形状に形成され、前記重なり合う側辺は、前記中央に配置される金属板小片の両側辺が身体から遠い位置に配置され、当該中央に配置される金属板小片以外の両側部方向に向かって順次重ね合わされる金属板小片は、中央側に位置する側辺が身体に近い位置に、側部側に位置する側辺が身体から遠い位置にそれぞれ配置され、前記重なり合う上下辺は、上下方向に隣り合う金属板小片のうち、上に位置する金属板小片の下辺が身体から遠い位置に、下に位置する金属板小片の上辺が身体に近い位置にそれぞれ配置され、重ね合わされた辺同士がリベット１２によりリベット孔１６を挿通して緩くカシメられ、各金属板小片１１同士の連結部が可動性を保持するように連結されて成ることを特徴とする。この構成を採ることにより、軽く、且つ耐刃性及び良好な着用性を有する耐刃防護板が得られる。
【０００７】
また、請求項２は、前記金属板小片１１は重ね合わせ部に段差部１７が設けられていることを特徴とする。また、請求項３は、前記金属板小片１１は全面が凸状または凹状の曲面に形成されていることを特徴とする。この構成を採ることにより、裏面に段差がなくなり、また全体に曲面を形成することができるため、着用性が良好となる。
【０００８】
また、請求項４は、前記金属板小片１１には刃物に対する滑り止め用のリブ１３が形成されていることを特徴とする。また請求項５は、前記金属板小片１１のうち、前記所定の形状の外周に位置する金属板小片１１には、所定形状の外周に接する辺に刃物に対する滑り止め用の折り曲げ部１５が形成されていることを特徴とする。この構成を採ることにより刃物に対する安全性が向上する。
【０００９】
また、請求項６は、前記金属板小片１１には通気用の小孔１４が穿設されていることを特徴とする。この構成を採ることにより、着用時のむれを防止することができる。
【００１０】
また、請求項７は、前記金属板小片１１は熱処理が施されたジュラルミンで形成されていることを特徴とする。この構成を採ることにより、軽量で安全性の高い耐刃防護板が得られる。
【００１１】
【発明の実施の形態】
図１は本発明の実施の形態の耐刃防護板を示す図で、（ａ）は平面図、（ｂ）は（ａ）図のｂ−ｂ線における断面図、（ｃ）は（ａ）図のｃ−ｃ線における断面図である。
本実施の形態の耐刃防護板１０は同図に示すように、複数枚の金属板小片１１がその一部重ね合わされリベット１２により接続されて胸部を覆うことができるように所定の形状に組み立てられている。
【００１２】
前記金属板小片１１は軽く且つ強度が有りプレス加工が可能な金属板、例えばジュラルミン板，チタン板等で形成される。特に熱処理を施した厚さ１．５mm程度のジュラルミン板が軽く且つ強度も有り好適である。
そして金属板小片１１の平面形状は場所により異なるため複数種類あり、図１の実施の形態では、同図（ａ）に符号Ａ〜Ｗで示した２３種類（同一符号は同一形状）で、総計４５枚を使用している。
【００１３】
また、大部分の金属板小片１１には刃物の滑り止め及び補強を兼ねた複数のリブ１３と、着用性向上のための通気用の小孔１４が形成されている。また、外周に配置される金属板小片１１には組み立てられたときに外周となる辺に刃物の滑り止め用となる折り曲げ部１５が形成されている。
【００１４】
図２乃至図８は金属板小片１１の代表例として符号Ａ、Ｂ、Ｃ、Ｆ、Ｇ、Ｈ、Ｋの各金属板小片１１を示した。各図において（ａ）は平面図、（ｂ）は（ａ）図のｂ−ｂ線における断面図、（ｃ）は下面図である。
【００１５】
図２に示すのは図１（ａ）において符号Ａで示した金属板小片１１であり、左上部の斜辺部に使用されるものである。そのため、その平面形状は略直角三角形状をなしている。そして斜辺部には刃物に対する滑り止め用の折り曲げ部１５が形成され、直角を挟む２辺のそれぞれ近傍にはリベット孔１６が穿設され、さらに（ｃ）図に示すように平面部は横方向に曲率Ｒの緩い凸曲面に形成されている。
なお図１（ａ）において符号Ｅで示した金属板小片１１は、この金属板小片Ａとは対称形である。
【００１６】
また、図３に示すのは図１（ａ）において符号Ｂで示した金属板小片１１であり、前記金属板小片Ａの右に連結されるものである。そして、その平面形状は左上部にＲ部が形成された略四角形をなし、その表面には２本のリブ１３が横方向に平行して形成されている。また２つのリブ１３，１３の間には５個の通気用小孔１４が穿設され、左右の辺及び下部の辺にはリベット孔１６が穿設され、上辺には刃物滑り止め用の折り曲げ部１５が形成され、左辺には隣接する金属板小片Ａと連結する重ね合わせ部に段差部１７が形成されている。また平面部が曲面となっていることは前記Ａと同様である。
【００１７】
また、図４に示すのは図１（ａ）において符号Ｃで示した金属板小片１１であり、前記金属板小片Ｂの右に連結されるもので、その平面形状は略四角形状をなしている。そして、その表面には２本のリブ１３が横方向に平行して形成されている。また２つのリブ１３，１３の間には５個の通気用小孔１４が設けられ、左右の辺及び下部の辺にはリベット孔１６が穿設され、上辺には刃物滑り止め用の折り曲げ部１５が形成され、左辺及び右辺には隣接する金属板小片１１との連結用の重ね合わせ部に段差部１７が形成されている。また平面部が曲面となっていることは前記Ａ、Ｂと同様である。
【００１８】
また、図５に示すのは図１（ａ）において符号Ｆで示した金属板小片１１であり、前記金属板小片Ａの下に連結されるもので、その平面形状は略台形状をなしている。そして、その表面には１本のリブ１３が横方向に形成されている。またリブ１３の上方には３個の通気用小孔１４が穿設され、上下の辺及び右辺にはリベット孔１６が穿設され、斜辺には刃物滑り止め用の折り曲げ部１５が形成されている。また平面部が曲面となっていることは前記Ａ、Ｂと同様である。
なお、図１（ａ）において符号Ｊで示された金属板小片は上記金属板小片Ｆと対称形である。
【００１９】
また、図６に示すのは図１（ａ）において符号Ｇで示した金属板小片１１であり、前記金属板小片Ｆの横で且つ金属板小片Ｂの下に連結されるもので、その平面形状は略四角形状をなしている。そして、その表面には２本のリブ１３が横方向に平行して形成されている。また２つのリブ１３，１３の間には１１個の通気用小孔１４が設けられ、左右及び上下の辺にはリベット孔１６が穿設され、左辺には隣接する金属板小片１１と連結する重ね合わせ部に段差部１７が形成されている。また平面部が曲面となっていることは前記Ａ、Ｂと同様である。
なお、この金属板小片Ｇは図１では５枚使用されている。また図１（ａ）において符号Ｉで示される７枚の金属板小片１１は、この金属板小片Ｇと対称形であるが通気用の小孔の数のみが異なる。
【００２０】
また、図７に示すのは図１（ａ）において符号Ｈで示した金属板小片１１であり、前記金属板小片ＧとＩとの間で且つ金属板小片Ｃの下に連結されるもので、その平面形状は略四角形状をなしている。そして、その表面には２本のリブ１３が横方向に平行して形成されている。また２つのリブ１３，１３の間には５個の通気用小孔１４が設けられ、左右及び上下の辺にはリベット孔１６が穿設され、左辺及及び右辺には隣接する金属板小片１１と接続する重ね合わせ部に段差部１７が形成されている。また平面部が曲面となっていることは前記Ａ、Ｂと同様である。
なお、この符号Ｈの金属板小片は図１（ａ）においては４枚使用されている。
【００２１】
また、図８に示すのは図１（ａ）において符号Ｋで示した金属板小片１１であり、前記金属板小片Ｇの左横に接続されるもので、その平面形状は略直角三角形状をなしている。そしてその斜辺には刃物滑り止め用の折り曲げ部１５が形成され、直角を挟む２辺の近傍にはリベット孔１６が、中央部には１個の通気用小孔１４がそれぞれ穿設されている。なお、この金属板小片Ｋは図１（ａ）においては右下にも使用されている。また図１（ａ）において符号Ｌで示される金属板小片は金属板小片Ｋと対称形である。
【００２２】
このように形成されたＡ〜Ｗの各金属板小片１１は図１の如く配置され、その上下、左右を重ね合わせて孔あきリベット１２により連結される。なおリベット１２の材質はアルミ、ステンレス、ジュラルミン等が好ましく、カシメは隣同士の金属板小片１１が互いに動くことができるように緩くカシメられる。
【００２３】
このように組み立てられた後、各金属板小片１１の表面には各片がこすれ合っても金属音が発生しないように、塗装される。塗料としてはアクリル系塗料または二液性ウレタン系焼き付け塗料が好ましい。
【００２４】
このように構成された本実施の形態は、ジュラルミン等の軽量な金属で形成したことにより重量が軽く、且つ強度が大で刃物に対する抵抗力が強い。また、リブ及び外周部の折り曲げ部により刃物の滑りを防止でき安全性を高めている。さらに全面に塗装を施したことにより金属音を防止でき、また通気孔を設けたことにより発汗に対して対応することができる。さらに金属板小片に曲率もたせ、且つリベットのカシメを緩くしたことにより該部に柔軟性が生じ、人体への装着性を良好なものとしている。
【００２５】
なお、上述の説明では、図１（ａ）において符号Ｍ〜Ｗで示した金属板小片１１の説明は省略したが、形状は図に示す通りである。また、これらの金属板小片１１は前述したように横方向に所定の曲率で曲げられていると説明したが、横方向のみではなく、縦方向又は縦横両方向に曲げても良く、また凸曲面のみでなく、必要に応じて凹曲面としても良い。また、通気用の小孔１４の数は組み立てたときの配置位置により異なっており、心臓、肝臓等の重要臓器を覆う部分は他の部分に比して少ない方が安全上好ましい。
【００２６】
【発明の効果】
本発明の耐刃防護板に依れば、ジュラルミン等の軽量な金属で形成したことにより従来の耐刃防護板に比して重量が軽く、且つ強度が大で刃物に対する抵抗力が強く、且つ刃物に対する滑り止め用のリブにより刃物の滑りを防止し安全性を向上可能としている。また塗装を施したことにより金属音を防止でき、また通気用の小孔を多数設けたことにより発汗に対して対応することができる。さらに金属板小片に曲率もたせ、且つリベットのカシメを緩くしたことにより該部に柔軟性が生じ、人体へのフィット性が良好となる等により、着用性が向上する。
【図面の簡単な説明】
【図１】本発明の実施の形態の耐刃防護板を示す図で、（ａ）は平面図、（ｂ）は（ａ）図のｂ−ｂ線における断面図、（ｃ）は（ａ）図のｃ−ｃ線における断面図である。
【図２】本発明の実施の形態の耐刃防護板を構成する金属板小片Ａを示す図で、（ａ）は平面図、（ｂ）は（ａ）図のｂ−ｂ線における断面図、（ｃ）は下面図である。
【図３】本発明の実施の形態の耐刃防護板を構成する金属板小片Ｂを示す図で、（ａ）は平面図、（ｂ）は（ａ）図のｂ−ｂ線における断面図、（ｃ）は下面図である。
【図４】本発明の実施の形態の耐刃防護板を構成する金属板小片Ｃを示す図で、（ａ）は平面図、（ｂ）は（ａ）図のｂ−ｂ線における断面図、（ｃ）は下面図である。
【図５】本発明の実施の形態の耐刃防護板を構成する金属板小片Ｆを示す図で、（ａ）は平面図、（ｂ）は（ａ）図のｂ−ｂ線における断面図、（ｃ）は下面図である。
【図６】本発明の実施の形態の耐刃防護板を構成する金属板小片Ｇを示す図で、（ａ）は平面図、（ｂ）は（ａ）図のｂ−ｂ線における断面図、（ｃ）は下面図である。
【図７】本発明の実施の形態の耐刃防護板を構成する金属板小片Ｈを示す図で、（ａ）は平面図、（ｂ）は（ａ）図のｂ−ｂ線における断面図、（ｃ）は下面図である。
【図８】本発明の実施の形態の耐刃防護板を構成する金属板小片Ｋを示す図で、（ａ）は平面図、（ｂ）は（ａ）図のｂ−ｂ線における断面図、（ｃ）は下面図である。
【図９】従来の耐刃防護板を示す図で、（ａ）は全体図、（ｂ）は（ａ）図の一部拡大図、（ｃ）は（ｂ）図のｃ−ｃ線における断面図である。
【符号の説明】
１０…耐刃防護板
１１…金属板小片
１２…リベット
１３…リブ
１４…通気用小孔
１５…折り曲げ部
１６…リベット孔
１７…段差部
【図１】
0004219497.tif 000002
【図２】
0004219497.tif 000003
【図３】
0004219497.tif 000004
【図４】
0004219497.tif 000005
【図５】
0004219497.tif 000006
【図６】
0004219497.tif 000007
【図７】
0004219497.tif 000008
【図８】
0004219497.tif 000009
【図９】
0004219497.tif 000010